(57)【特許請求の範囲】
【請求項１】
傘を挿入する挿入孔と、該挿入孔を中心にして傘の傘地が入る放射状の放射状溝とを有するように吸水体が設けられた傘の滴取り器であって、
上記吸水体が、繊維が立体的に絡み合った繊維構造物で構成され、
吸水体における上記傘地に接触する表面側部分が、内部側部分よりも高密度に形成された
傘の滴取り器。
【請求項２】
前記吸水体の上側部分が、下側部分よりも硬質に形成され、
上記上側部分が、筒状をなす保持部材の内周側に保持された
請求項１に記載の傘の滴取り器。
【請求項３】
前記挿入孔が鉛直方向から傾くように、前記吸水体が支持された
請求項１または請求項２に記載の傘の滴取り器。
【請求項４】
前記吸水体が、挿入孔を軸にして回転自在である
請求項１から請求項３のうちのいずれか一項に記載の傘の滴取り器。
【請求項５】
前記放射状溝が、１０本設けられた
請求項１から請求項４のうちのいずれか一項に記載の傘の滴取り器。
【請求項６】
前記吸水体の下側部分が、内周側に位置する挿入孔側にせり出した形状に形成されるとともに、
吸水体の下側部分における外周側に、吸水体の変形を許容する変形許容空間が設けられた
請求項１から請求項５のうちのいずれか一項に記載の傘の滴取り器。
【請求項７】
前記吸水体が、複数個の吸水体部材で構成された
請求項１から請求項６のうちのいずれか一項に記載の傘の滴取り器。
【請求項８】
前記吸水体部材が着脱自在である
請求項７に記載の傘の滴取り器。
【請求項９】
傘を挿入する挿入孔と、該挿入孔を中心にして傘の傘地が入る放射状の放射状溝とを有するように設けられた吸水体と、
これを内周側に保持する筒状の保持部材とを有し、
上記吸水体が、繊維が立体的に絡み合った繊維構造物で構成され、
吸水体における上記傘地に接触する表面側部分が、内部側部分よりも高密度に形成された
傘の滴取り器用カートリッジ。
【請求項１０】
傘を挿入する挿入孔と、該挿入孔を中心にして傘の傘地が入る放射状の放射状溝とを有するように、円を描く如く離間配置される傘の滴取り器用吸水体部材であって、
当該吸水体部材が、繊維が立体的に絡み合った繊維構造物で構成され、
上記傘地に接触する表面側部分が、内部側部分よりも高密度に形成された
傘の滴取り器用吸水体部材。
【発明の詳細な説明】
【技術分野】
【０００１】
この発明は、挿すだけで傘の滴を迅速に除去できるような傘の滴取り器に関する。
【背景技術】
【０００２】
このような装置としては、下記特許文献１に開示されたようなものがある。これは、複数の吸水体を、隙間を隔てて放射状に設け、これらの中心部に傘の挿入空間を形成したもので、各吸水体が、ニットの裏側に防水コーティングを施された構造の布体を三角柱状の弾性材の表面に被覆し、弾性材を硬質の補強板に着脱自在に取り付けたものである。また、上記の弾性体は、連続気泡を有する発泡ポリエチレンや発泡ウレタン、発泡ゴム等からなる。
【０００３】
この構成によれば、傘を挿入空間に挿入して差込方向に沿って摺動させることによって傘地表面の滴が各吸水体に吸水される。吸水をした吸水体では、ニットが吸収した水分を傘地に戻さないように保水しつつ速やかに排水でき、吸水能力に優れた吸水体とすることができるとされている。
【０００４】
また、同様の装置として、下記特許文献２に開示されているものがある。これは、柔軟な材料で構成した複数個の脱水用ワイパーブロックを、中央に開口部が形成されるように隙間を隔てて環状に配置してなるワイパーブロック集合体を備えたもので、すぼめた傘を開口部の中心軸線に沿って略垂直方向に挿入したとき、傘の布部がワイパーブロック相互間の隙間に侵入し、布部に付着した滴が払拭されるというものである。
【０００５】
そして、上記のワイパーブロックは、略三角柱状にカットしたウレタンスポンジの表面を、撥水性を有する柔らかい布で被覆したものである。また、各ワイパーブロックが開口の中心軸に対して放射方向に撓み得るように、可撓性のバネ板が設けられている。
【０００６】
この構成によって、傘の生地とワイパーブロックの拭い取り面の間に所望の緊密性が得られ、生地に付着した雨水が効果的に擦拭除去されるというものである。
【０００７】
しかし、いずれの吸水体（ワイパーブロック）も、スポンジ等からなる弾性体の表面に布体を被覆したもので、布体には防水層が施されたり、撥水性が付与されたりしている。すなわち、傘地に付着した滴を、弾性体の弾性力と傘の摺動動作を利用して、強制的にはじき落とそうとする構造である。
【０００８】
このような構成の装置では、傘地が十分な撥水性を有している場合には、滴の除去が可能であろうが、傘には傘地が撥水性を喪失しているものもある。このような傘の場合には、積極的に水分を吸収しないとなかなか、滴の除去ができない。
【０００９】
また、表面の布体も内部のスポンジも吸水はするものの、布体の防水層や撥水性のため、傘から滴り落ちる多量の滴を吸い取るほどの能力はない。さらに、一度吸い取った滴は、スポンジに保持されるが、スポンジは布体で覆われており、通気性も悪く、スポンジの性質ゆえに水を含んだままとなる。このため、たとえば特許文献１の図１１〜図１４に示したような特殊な機構を設けなければ、排水ができない。
【００１０】
【特許文献１】特許第３８４５１０５号公報
【特許文献２】登録実用新案第３１０５２３６号公報
【発明の開示】
【発明が解決しようとする課題】
【００１１】
そこで、この発明は、傘地の水分を積極的に吸収し、吸収した水分を速やかに排出できるようにして、傘地の滴取りが迅速かつ十分に行えるようにすることを主たる課題とする。
【課題を解決するための手段】
【００１２】
そのための手段は、傘を挿入する挿入孔と、該挿入孔を中心にして傘の傘地が入る放射状の放射状溝とを有するように吸水体が設けられた傘の滴取り器であって、上記吸水体が、繊維が立体的に絡み合った繊維構造物で構成され、吸水体における上記傘地に接触する表面側部分が、内部側部分よりも高密度に形成された傘の滴取り器である。
【００１３】
上記の吸水体は、複数の部材からなるものであるも、１個の部材からなるものであるもよい。
【００１４】
この構成によれば、傘を挿入孔に挿入すると、外周側に張り出そうとする親骨が傘地を押しながら放射状溝に入り、傘地が吸水体の表面側部分に接触する。すると、傘地の表面についた滴は、吸水体に吸収される。
【００１５】
吸水体は、繊維が立体的に絡み合った繊維構造物であるので、毛細管現象により滴は速やかに吸収される。吸水体は、傘地に接触する表面側部分が、内部側部分よりも高密度であるので、表面側部分に吸収された滴は、順次内部側に移動し、その自重によって内部側部分を降下して、連続的に排出される。そのうえ、吸水体はスポンジと異なり通気性がよいので乾燥が速く、衛生的である。
【００１６】
別の手段は、傘を挿入する挿入孔と、該挿入孔を中心にして傘の傘地が入る放射状の放射状溝とを有するように設けられた吸水体と、これを内周側に保持する筒状の保持部材とを有し、上記吸水体が、繊維が立体的に絡み合った繊維構造物で構成され、吸水体における上記傘地に接触する表面側部分が、内部側部分よりも高密度に形成された傘の滴取り器用カートリッジである。
【００１７】
この傘の滴取り器用カートリッジは、適宜のケーシングに取り付けて使用される。ケーシングは、専用のものであるほか、たとえば既存の傘立てなどであってもよい。
【００１８】
別の手段は、傘を挿入する挿入孔と、該挿入孔を中心にして傘の傘地が入る放射状の放射状溝とを有するように、円を描く如く離間配置される傘の滴取り器用吸水体部材であって、当該吸水体部材が、繊維が立体的に絡み合った繊維構造物で構成され、上記傘地に接触する表面側部分が、内部側部分よりも高密度に形成された傘の滴取り器用吸水体部材である。
【００１９】
この傘の滴取り器用吸水体部材は、滴のついた傘地に接触すると、傘地の表面についた滴を吸収する。吸水体部材は、繊維が立体的に絡み合った繊維構造物であるので、毛細管現象により滴は速やかに吸収される。吸水体部材は、傘地に接触する表面側部分が内部側部分よりも高密度であるので、表面側部分に吸収された滴は、順次内部側に移動し、その自重によって内部側部分を降下して、連続的に排出される。そのうえ、吸水体部材はスポンジと異なり通気性がよいので乾燥が速く、衛生的である。
【発明の効果】
【００２０】
以上のように、この発明によれば、吸水体または吸水体部材が傘地の滴を積極的に吸収し、吸収した水分を自動的に排出するので、傘地の滴取りが迅速かつ十分に行える。
【発明を実施するための最良の形態】
【００２１】
この発明を実施するための一形態を、以下図面を用いて説明する。  
図１は、傘の滴取り器１１（以下、「滴取り器」という。）の構造を示す断面図であり、この図に示すように、滴取り器１１は、傘２１を石突きの側から挿して、傘地２２の滴（水分）を除去するものである。
【００２２】
滴取り器１１は、ケーシング３１と、これを適宜高さに支持する支持台４１と、ケーシング３１内の上部に取り付けられるカートリッジ５１とを有し、カートリッジ５１には、吸水体としての複数の吸水体部材６１が備えられている。
【００２３】
ケーシング３１は、中空で、図２にも示したように、上部に円筒状部３２を有し、その下に三角コーン状の円錐状部３３を先細りになるように有する形状で、下端には、短円筒状の排水口３４が設けられ、この排水口３４に、排水を所望の箇所に排出するためのホース８１が接続されている。
【００２４】
ケーシング３１の上端には、内側に延設され下方に傾斜する傾斜面部３５と、この傾斜面部３５の先端から垂れ下がる短円筒部３６が設けられ、上記の傾斜面部３５の内周側に、上記のカートリッジ５１が着脱可能に取り付けられる。
【００２５】
ケーシング３１には、防錆処理をした金属のほか、たとえば合成樹脂などの適宜材料を使用できる。
【００２６】
上記の支持台４１は、基板４２と、この基板４２から立設された支柱４３とを有し、支柱４３は鉛直方向から傾けて設けられる。ケーシング３１は、その円錐状部３３が支柱４３の上部に固定されるが、支柱４３の傾きと、上記円錐状部３３の傾斜とにより、ケーシング３１の中心軸は、鉛直方向から適宜角度θ傾斜した状態となる。具体的には、鉛直方向からおよそ２０〜３０度位、より好ましくは２３度ほど傾いた状態であるとよい。
【００２７】
また、基板４２は適宜の重量を有するように形成され、下面には、高さ調整用のアジャスタ４４と、移動用のキャスタ４５とが設けられている。アジャスタ４４は前方側に、キャスタ４５は後方側に設けられる。
【００２８】
上記のカートリッジ５１は、図３、図４に示したように、略円筒状の保持部材５２と、この保持部材５２の内周面に保持される１０個の吸水体部材６１…とで構成され、傘２１を挿入する挿入孔６２と、挿入孔６２を中心にして傘２１の親骨２３および傘地２２が入る放射状の放射状溝６３…とを有する。
【００２９】
保持部材５２は、合成樹脂製で、ケーシング３１の傾斜面部３５と同一または同等の傾きを有する平面視円形の天板面部５３と、この天板面部５３の外周縁部から垂設され、ケーシング３１の短円筒部３６の内側に嵌合する内筒部５４と、内筒部５４の内周側に隙間を隔てて内筒部５４と平行に設けられた保持壁部５５とを有し、内筒部５４には、ケーシング３１の短円筒部３６に設けられた突起３６ａを利用して取り付けるための切欠５４ａが形成される。
【００３０】
切欠５４ａは、略逆Ｌ字形に形成され、下端から上に延びる垂直部５４ｂと、垂直部５４ｂの上端から若干斜め上に向けて横に延びる横溝５４ｃと、この横溝５４ｃの端部で突起３６ａを保持する凹部５４ｄとを有する。
【００３１】
また、上記の天板面部５３には、凹多角形状の切欠が設けられ、傘２１の挿入を可能にしている。切欠は、中心部と、この中心部から放射状に１０本の溝が延びるような形状である。換言すれば、外周側から中心に向けて、三角形状をなす１０枚の突片５６…が設けられた形状である。なお、各突片５６…の間には、仕切りとしての突条を上下方向に延設するとよい。
【００３２】
一方、吸水体部材６１は、図５に示したような上下方向の中間部で屈曲した略三角柱状に形成され、図６に示したように、上部の上面と背面が、保持部材５２における突片５６の下面と保持壁部５５の内周面とに固定されている。固定は、着脱自在に行うもよいが、接着剤により一体に固定すると、不測に外れない等の利点があるのでよい。
【００３３】
吸水体部材６１には、たとえばポリエステル等の適宜の繊維が立体的に絡み合った繊維構造物で構成され、弾力性、通気性、耐久性に富んだものが使用される。
【００３４】
吸水体部材６１の形状は、外周縁が円弧状をなす平面視略三角形状で、上面６４が、保持部材５２の突片５６の傾きに対応する角度に傾斜している。そして、上面６４を含む上側部分６５が鉛直方向に延びるのに対して、それより下側の下側部分６６が、内周側に向けてせり出すように傾斜している。このため、吸水体部材６１の下側部分における外周側（背面側）には、挿入孔６２に挿入された傘２１によって背面側に押された吸水体部材６１が弾力的に変形するための変形許容空間６７が存在することになる。
【００３５】
また、吸水体部材の下側部分における内周側の下端の角部分は、側面から見ると下から順に、緩い角度の第１傾斜部６８と、それより急な第２傾斜部６９とで面取りされた形状である。上側に位置する第２傾斜部６９は、それより上方の部分と同様に線状に形成されるが、第１傾斜部６８は、三角形の面状に形成される。また、吸水体部材６１の下側部分６６における外周側の、第２傾斜部６９の上端部分に対応する部位から下側は、徐々に先細りに形成されている。
【００３６】
さらに、吸水体部材６１の上側部分６５の上部における内周側位置には、２枚の補強板７０，７０が固定されている。この補強板７０は上記と同一の繊維構造物からなるが、それよりも目付量が大きく設定され、高密度で硬く形成されたものを用いる。具体的には、およそ２ｍｍの厚さで、４５０ｇ／ｍ２程度の目付量を有するものが好ましい。
【００３７】
吸水体部材６１の製造に当たっては、上記の繊維構造物からなるシート状の基材を、型に入れて圧縮し、加熱して成形する。このとき、上記の補強板７０は、適宜のホットメルトのバインダーにより積極的に接着される。
【００３８】
また、図５に示したように、吸水体部材６１の上側部分６５が、下側部分６６よりも硬質になるように、つまり、密度が高くなるように構成される。また、表面側の方が、内部側よりも密度が高くなるように設定される。
【００３９】
具体的には、上側部分６５と下側部分６６の密度の違いは、たとえば、上側部分６５の方が下側部分６６よりも１．２〜１．４倍程度密度が高くなるようにするとよい。また、表面側と内部側では、表面側の方が内部側よりも１．５〜２倍程度に密度が高くなるようにするとよい。
【００４０】
上記の結果、吸水体部材６１の中心部分である上記の第１傾斜部６８の上方部分が最も密度の小さい部分となる。この部分の密度は、たとえば０．５〜０．７ｇ／ｃｍ３程度に設定される。
【００４１】
このようなカートリッジ５１をケーシング３１に取り付けると、ケーシング３１の中心軸が傾いているので、挿入孔６２がケーシング３１の傾きと同じ角度θ鉛直方向から傾いた状態で支持される。
【００４２】
このように構成された滴取り器１１では、図１に示したように傘２１を挿入孔６２に挿すと、傘２１の挿入にしたがって親骨２３が傘地２２を伴って１０本の放射状溝６３…のうち適宜箇所に侵入する。一般的な傘は８本骨のものが多く、８本の各親骨２３…は、その本数よりも多い１０本の放射状溝６３…のいずれかに円滑に入る。そして、傘２１を差し込むと、図７に示したように、傘２１に押された各吸水体部材６１…は、屈曲したような形態の中間部分が伸ばされるように、下側部分６６が外周側に向けて弾力的に変形する。この変形は、保持部材５２の突片５６のたわみによっても助長される。
【００４３】
傘２１を挿した後は、傘２１を引き抜く。挿入孔６２が傾斜しているので、挿入は容易である。このような傘の挿入を１、２度行えばよい。
【００４４】
傘２１の挿入に伴って、傘地２２は吸水体部材６１と接触し、繊維構造体からなる吸水体部材６１によって滴が吸収される。この吸収は毛細管現象により速やかに行われる。しかも、吸水体部材６１は、傘地２２に接触する表面側部分が、内部側部分よりも高密度であるので、表面側部分に吸収された滴は、順次、密度の低い内部側に移動する。この移動は、上述の吸水体部材６１の弾性変形に伴う慣性の法則によっても助長される。そして、内部側に移動した水は、その自重によって内部側部分を降下して、第１傾斜面部６８の近傍を中心とした下端部から連続的に排出される。
【００４５】
排出された水は、排出口３４、ホース８１を通って、適宜箇所に導かれる。
【００４６】
また、吸水体部材６１はスポンジと異なり通気性がよいので、排水性の良さと相俟って、吸水しても乾燥が速い。このため、カビの発生等が抑制でき、衛生的である。
【００４７】
さらに、吸水体部材６１の上側部分６５が、下側部分６６よりも密度が高く硬質であるので、固定が強固に行える。この結果、上述の弾性変形が、良好な反発性をもってなされる。
【００４８】
以下、その他の形態について説明する。この説明において、上述の構成と同一の部位については同一の符号を付して、詳しい説明を省略する。  
図８は、吸水体部材６１の他の例を示し、この吸水体部材６１は、下側部分６６に、ブラシ７１を備えている。ブラシ７１は、第２傾斜面部６９に設けられ、相対向するブラシ７１の先端部同士が接触するような長さに設定されている。ブラシ７１は、接着などの適宜手段を利用して植設する。
【００４９】
このようなブラシ７１が備えられると、傘２１の先の部分であって吸水体部材６１に接触しない、或いは接触しにくい部分の水をはじくことができる。
【００５０】
図９は、吸水体部材６１が挿入孔６２を中心にして回転自在である滴取り器１１の構成を示す一部破断面図である。
【００５１】
この滴取り器１１は、ケーシング３１とカートリッジ５１との間に回転機構が備えられている。すなわち、ケーシング３１の短円筒部３６の下端に、回転機構としてのベアリング７５を備え、このベアリング７５で、カートリッジ５１における保持部材５２の内筒部５４の下端を受ける。また、カートリッジ５１の抜け止めのため、ケーシング３１の上端部に、ケーシング３１の円筒状部３２に固定される環状部７６ａと、この環状部７６ａの上端から内周側斜め下に向けて張り出す押え部７６ｂとを有する規制部材７６が備えられている。
【００５２】
このような構成の滴取り器１１では、傘２１を挿すときや傘２１を引き抜くときに傘２１を回すことで、吸水体部材６１…が回転する。この回転により発生する遠心力で、傘地２２に付着した滴や吸水体部材６１…に吸水された水の移動が促進され、より効果的に水分の除去を行うことができる。また、傘２１が挿入孔６２の軸から傾いていても傘２１を抜き取ることができ、傘２１を痛めないという利点も有する。
【００５３】
図１０は、吸水体部材６１の他の例を示す斜視図である。先の例では表面側の吸水性を高めるべく、外周側の表面も密度を高く設定したが（図５参照）、図１０に示したように、外周側の表面は傘地２２と接触しないので、その部分の密度を、その他の表面並みに高めずともよい。この場合には、保持部材５２の突片５６に対する固定を強固に行えば、上述と同様の作用効果が得られる。
【００５４】
図１１は、滴取り器１１の他の例を示す斜視図であり、図１２は正面図、図１１３は背面図、図１４は右側面図、図１５は平面図、図１６は底面図、図１７は正面図中央縦断面図である。これらの図に示すように、この滴取り器１１は、基本的に図１に示した滴取り器１１と同様の構造で、ケーシング３１と、これを適宜高さに支持する支持台４１と、ケーシング３１内の上部に取り付けられるカートリッジ５１とを有する。そして、図１１に示した滴取り器１１の場合には、上記の構成に加えて、図１７に示したように、下部カートリッジ９１と、石突き受け９５とを有する。
【００５５】
ケーシング３１は、上部円筒部材３７と、下部円錐部材３８と、漏斗ユニット３９とからなる中空状である。
【００５６】
上部円筒部材３７は、下部円錐部材３８の上端に固定一体化される部材であるとともに、カートリッジ５１を着脱可能に取り付ける部分である。
【００５７】
上部円筒部材３７は円筒状で、下部の内周面に断面Ｌ字形をなすリング３７ａを有する（図１７参照）。また、上端部の内周面の２箇所に、ピン３７ｂを保持する取付け金具３７ｃが備えられている。
【００５８】
下部円錐部材３８は、上端部の内周面に上記リング３７ａに当接する複数の固定金具３８ａが等間隔に配設されている。この固定金具３８ａは側面視略逆Ｌ字形に形成され、リング３７ａ側からビス止めされる。
【００５９】
漏斗ユニット３９は、下部円錐部材３８の下端に被せるように備えられる略円錐状のもので、外筒部材３９ａと、この中に一体に固定される漏斗部材３９ｂとを有し、支持台４１に対して固定される。漏斗部材３９ｂの下端には、図１１に示したようにホース８１が接続される。
【００６０】
支持台４１は、基板４２と、この基板４２の後方側から斜め上に向けて立ち上がった後、鉛直上向きにのびる２本の支柱４３とを有し、各支柱４３，４３の上には、逆Ｕ字状をなすハンドル４６が固定される。２本の支柱４３，４３間には、上から４枚の連結板４３ａ，４３ｂ，４３ｃ，４３ｄが適宜間隔を隔てて架設される。上から２、３番目の、第２連結板４３ｂ、第３連結板４３ｃに、上記の下部円錐部材３８が着脱可能に取り付けられる。４番目の第４連結板４３ｄには、上記の漏斗ユニット３９が着脱可能に取り付けられる。
【００６１】
下部円錐部材３８は、断面略Ｚ字状をなし、図１３、図１５にも示したように適宜の横幅を有する取付け金具３８ｂ，３８ｃを用いて、上から引っかけるようにして取り付けられる。取付け金具３８ｂ，３８ｃは、下部円錐部材の外周面の所定位置に一体に固定されており、取付け状態は、取付け金具３８ｂ，３８ｃの上から連結板４３ｂ，４３ｃに対してボルト４７を螺合して固定される。
【００６２】
漏斗ユニット３９は、外筒部３９ａの内周面に設けられたナット部材３９ｃに対して第４連結板４３ｄの上からねじ４８止めしてから固定される。
【００６３】
図１７中、基板４２内の４２ａは重錘プレートで、４２ｂは重錘プレートを固定するためのねじ部材、ハンドル下端の４６ａは、支柱４３に差し込まれる軸部である。
【００６４】
カートリッジ５１は、略円筒状の保持部材５２と、この保持部材５２の内周面に保持される１０個の吸水部材６１…とで構成される。
【００６５】
保持部材５２は、図１の場合と同様に、天板部５３と、１０枚の突片５６…とを有するとともに、ケーシング３１の上部円筒部３７と同径の外筒部５７と、これの内側に適宜間隔を隔てて垂設される内筒部５８とを有している。外筒部５７は、上部円筒部材３７の上端部に取り付けられるように、下端部に段部５７ａを有するとともに（図１７参照）、上記ピン３７ｂに対応する２ヶ所に肉厚部５７ｂを備えて（図１８参照）、この肉厚部５７ｂに、図４に示した切欠５４と同一形状の切欠５４が備えられている。
【００６６】
上記吸水部材６１…は、図５や図１０に示した構成と同様のものが使用される。
【００６７】
上記の下部カートリッジ９１は、図１７に示したように、下部円錐部材３８内の中間位置よりも下側に着脱可能に設けられる。下部カートリッジ９１は、カバー部材９２と、吸水体９３とからなる。カバー部材９２は、図１９に示したように、上面に漏斗状のガイド面９２ａを有し、上端外周部分に、落下する雨水が通る複数の連通窓９２ｂが間欠的に形成されている。中心部には、傘２１の石突き２４が通過する程度の挿入孔９２ｃが形成される（図２０参照）。
【００６８】
そして、内部には、上面がすり鉢状になった略円筒状の吸水体９３が接着により固定される。吸水体９３は、上記の吸水部材６１と同様で、ポリエステル等の適宜の繊維が立体的に絡み合った繊維構造物で構成されている。中心には、上記の挿入孔よりも小径の貫通孔９３ａが形成されている。
【００６９】
上記の石突き受け９５は、下部円錐部材３８内の下端部に固定されるもので、略円板状をなす。下部円錐部材３８の内周面に固定される周壁９５ａが外周縁に形成されており、プレート部分９５ｂの中心部を除く部分には、雨水を通過させる多数の透孔９５ｃが形成されている。
【００７０】
このように構成された滴取り器１１では、図１等に示した滴取り器１１と同様の作用効果を有することに加え、図２０に示したように、傘の先端部の滴まで効果的に除去できるという作用効果を得られる。
【００７１】
すなわち、下部カートリッジ９１を有しているので、挿入孔６２から傘２１を挿入すると、傘２１の石突きは、下部カートリッジ９１のカバー部材９２の挿入孔９２ｃから吸水体９３の貫通孔９３ａに侵入し、吸水体９３と接する菊座部分２５が良好に脱水される。菊座部分２５は、傘地２２と石突き２４の間の部分である。このとき、石突き受け９５が傘２１の挿入深さを規制し、上記の作用効果を確実にする。そのうえ、カバー部材９２のガイド面９２ａが傘２１の挿入位置を規制し、吸水体９３の損傷を防ぐ。
【００７２】
また、支柱４３の上端にはハンドル４６が取り付けられていることに加えて、基板４２の底面には、キャスタ４５が取り付けられているので、滴取り器１１を後方に傾けることによって、容易に移動が行え、雨が降ったときの出し入れなどが迅速に行える。
【００７３】
図２１は、滴取り器１１の他の例を示す正面図中央縦断面図である。この滴取り器１１は、使用中の不測の動きが起きないようにしたもので、基板４２の前方側の下面に設けられたアジャスタ４４の下面にゴム４４ａが一体化されるとともに、重錘プレート４２ａを固定しているねじ部材４２ｂの後方側のものを利用して、支持脚部材４９を固定している。
【００７４】
支持脚部材４９は略Ｚ字状に形成され、重錘プレート４２ａの下面に固定したときにキャスタ４５を浮かせる高さに設定されている。支持脚部材４９の下部にはゴム４９ａが一体化される。
【００７５】
このような構成の滴取り器１１では、使用時にはアジャスタ４４と支持脚部材４９が接地し、キャスタ４５は接地しないので、使用中の不測の移動を確実に防ぐことができる。
【００７６】
図２２〜２５は、吸水体部材６１を着脱自在にした例を示している。図２２は保持部材５２の底面図であり、この図に示すように、１０個の吸水体部材６１…が保持部材５２の内筒部５８に対して取り付けられる。
【００７７】
内筒部５８の内周面における突片５６…間の位置には、内側に突出する突条５８ａ…が形成されている。また、内筒部５８の外周面には、図２３に示したように凹溝５８ｂが形成されている。
【００７８】
他方、吸水体部材６１自体は、上記と同様に形成されるが、この吸水体部材６１の背面に、着脱補助部材５９が接着等により一体に固定される（図２４参照）。
【００７９】
着脱補助部材５９は、図２４に示したように、側面視Ｌ字状をなす板状で、垂直片５９ａと水平片５９ｂを有する。
【００８０】
垂直片５９ａは、上記保持部材５２の内筒部５８における突条５８ａ間に差し込まれる大きさで、垂直片５９ａにおける下端側部分に、内筒部５８の下端から嵌って、自体の材料弾性によって上記の凹溝５８ｂに係止するクリップ５９ｃが形成されている。
【００８１】
また、水平片５９ｂは、略等脚台形状に形成され、先端縁が図２３に仮想線で示したように、保持部材５２に取り付ける円筒部３７の内周面に近接または当接する大きさに形成されている。この水平片５９ｂの存在により、着脱作業が容易になるとともに、取り付け状態も安定する。
【００８２】
図２５は、着脱補助部材５９の他の例を示し、この着脱補助部材５９は、垂直片５９ａが内筒部５８の上端に達する長さに形成されるとともに、この上端から内側斜め下方に向けて突片５６の下面に重合する上端垂直片５９ｄが連設されている。そして、クリップ５９ｃは、図２３、図２４に示したものよりも長めに形成して、先端に形成された返し状の係止爪５９ｅが、内筒部５８に形成された係止孔５８ｃを貫くように形成している。このように構成すると、より強固に固定できる。
【００８３】
これらのように吸水体部材６１が着脱自在であると、メンテナンス作業においては、吸水体部材６１と、これに一体の着脱補助部材５９のみを交換すればよく、保持部材５２を継続して使用できるので、無駄を抑えることができる。
【００８４】
この発明の構成と、上記の一形態のとの構成との対応において、  
この発明の吸水体は、上記の複数個の吸水体部材６１…に対応し、  
同様に、  
傘の滴取り器用カートリッジは、カートリッジ５１に対応し、  
傘の滴取り器用吸水体は、吸水体部材６１…に対応するも、  
この発明は上記の構成のみに限定されるものではなく、その他の形態を採用することもできる。  
たとえば、吸水体は一部材で構成するもよい。すなわち、中心に挿入孔を有し、この挿入孔を中心とした放射状溝を有する立体形状に成形することもできる。
【００８５】
また、吸水体を回転自在にする構成は、回転手段としてベアリングなどの部材を介在させることなく、単なる遊嵌等であるもよい。
【００８６】
さらに、保持部材の形状を適宜設定することにより、カートリッジをたとえば既存の傘立てやゴミ箱などの上部に取り付けて使用することが可能となる。
【図面の簡単な説明】
【００８７】
【図１】傘の滴取り器の構造を示す断面図。
【図２】傘の滴取り器の側面図。
【図３】カートリッジの平面図。
【図４】カートリッジの側面図。
【図５】吸水体部材の斜視図。
【図６】カートリッジの構造を示す断面図。
【図７】作用状態の説明図。
【図８】他の例に係る吸水体部材の側面図。
【図９】他の例に係る傘の滴取り器の断面図。
【図１０】他の例に係る吸水体部材の斜視図。
【図１１】他の例に係る傘の滴取り器の斜視図。
【図１２】他の例に係る傘の滴取り器の正面図。
【図１３】他の例に係る傘の滴取り器の背面図。
【図１４】他の例に係る傘の滴取り器の側面図。
【図１５】他の例に係る傘の滴取り器の平面図。
【図１６】他の例に係る傘の滴取り器の底面図。
【図１７】他の例に係る傘の滴取り器の正面図中央縦断面図。
【図１８】他の例に係る傘の滴取り器におけるカートリッジの平面図。
【図１９】他の例に係る傘の滴取り器における下部カートリッジの斜視図。
【図２０】作用状態の説明図。
【図２１】他の例に係る傘の滴取り器の正面図中央縦断面図。
【図２２】他の例に係る傘の滴取り器の保持部材の底面図。
【図２３】他の例に係る傘の滴取り器の吸水体部材の固定部分の断面図。
【図２４】他の例に係る傘の滴取り器の吸水体部材の斜視図。
【図２５】他の例に係る傘の滴取り器の吸水体部材の固定部分の断面図。
【符号の説明】
【００８８】
１１…傘の滴取り器
２１…傘
２２…傘地
２３…親骨
５１…カートリッジ
５２…保持部材
６１…吸水体部材
６２…挿入孔
６３…放射状溝
６５…上側部分
６６…下側部分
６７…変形許容空間
【図１】
0004268998.tif 000002
【図２】
0004268998.tif 000003
【図３】
0004268998.tif 000004
【図４】
0004268998.tif 000005
【図５】
0004268998.tif 000006
【図６】
0004268998.tif 000007
【図７】
0004268998.tif 000008
【図８】
0004268998.tif 000009
【図９】
0004268998.tif 000010
【図１０】
0004268998.tif 000011
【図１１】
0004268998.tif 000012
【図１２】
0004268998.tif 000013
【図１３】
0004268998.tif 000014
【図１４】
0004268998.tif 000015
【図１５】
0004268998.tif 000016
【図１６】
0004268998.tif 000017
【図１７】
0004268998.tif 000018
【図１８】
0004268998.tif 000019
【図１９】
0004268998.tif 000020
【図２０】
0004268998.tif 000021
【図２１】
0004268998.tif 000022
【図２２】
0004268998.tif 000023
【図２３】
0004268998.tif 000024
【図２４】
0004268998.tif 000025
【図２５】
0004268998.tif 000026